(57)【特許請求の範囲】
【請求項１】
握り部、第一棒状部、スライド式の固定部材、弾性部材、第二棒状部、石突きを有し、前記握り部が前記第一棒状部の一端部に固定され、前記石突きが前記第二棒状部の一端部に固定され、前記第一棒状部と前記第二棒状部の他端部が互いに同軸状に対向して配置され、
前記固定部材は前記第一棒状部と第二棒状部が同軸状の固定位置と該固定位置から屈曲可能位置に切り替え可能に前記第一棒状部と第二棒状部の外周部にスライド可能に嵌合されてなり、
かつ前記第一棒状部と第二棒状部の外周部を跨いで屈曲状態から直線状態に反力を付与する弾性部材を配置してなることを特徴とする歩行補助具。
【請求項２】
前記握り部は二又状の取っ手を有している請求項１に記載の歩行補助具。
【請求項３】
通常歩行モード、起立モード及び昇降モードに切り替え使用可能であり、前記通常歩行モードでは前記固定部材で前記第一棒状部と前記第二棒状部を直線状態に保持して、前記握り部を片手で把持し前記石突きを接地させ、前記起立モードでは、前記固定部材で前記第一棒状部と前記第二棒状部を直線状態に保持して、腰掛けた状態で両手で前記握り部を把持し、両手と、地面に接地した石突きの３点を形成し、前記昇降モードでは、前記握り部と石突きを反転させ、かつ前記固定部材をスライドさせ、前記第一棒状部に対して第二棒状部を屈曲可能にし、前記石突きを把持し前記握り部を接地させるようにしてなる請求項１又は２に記載の歩行補助具。
【請求項４】
前記弾性部材は、前記第一棒状部と第二棒状部の少なくとも対向位置の外周部を跨いで嵌装されたコイルスプリングからなる請求項１〜３の何れかに記載の歩行補助具。
【請求項５】
前記弾性部材は、前記コイルスプリングと該コイルスプリングに沿って前記第一棒状部と第二棒状部間に前記握り部と軸心反対側位置に張設された伸縮性ゴムの組み合わせからなる請求項１〜４の何れかに記載の歩行補助具。
【請求項６】
前記固定部材は握り部側端部から軸方向に沿って他端部を残して途中までスリットが形成されたスリット入り固定部材であり、前記第一棒状部に突起部を有する締め付け具が固定され、且つ前記第二棒状部に突起部を有するストッパ兼締め付け具が固定され、前記突起部間にスプリングが張設され、前記締め付け具の突起部が前記スリット入り固定部材のスリットに嵌合して前記固定部材がスライド可能となっている請求項１〜５の何れかに記載の歩行補助具。
【発明の詳細な説明】
【技術分野】
【０００１】
本発明は、足が不自由な方や高齢者など、歩行を補助する器具（例：杖）を必要とする方が、段差や階段の上り下りや、椅子からの起立を助ける段差昇降補助機能及び起立補助機能付き歩行補助具に関する。
【背景技術】
【０００２】
従来、歩行補助具として、棒状の杖主体の上端に握り部と、前記杖主体の下端に、横に張り出したステップ台付きの石突きとで構成されているものが知られている。当該歩行補助具によって、歩行者は、階段や段差を昇降する際、一度、歩行補助具のステップ台に片足を乗せてから、段差一段分、体を上下させた後、他方の足を次の段へかけることで、体への負担を減らしながら、昇降が可能となる。
このステップ台は、棒状の杖主体に横に張り出した状態で固定されたもの（特許文献１）、電動モータによる上下動が可能なもの（特許文献２）、棒状の杖主体に収納可能に接続されているもの（特許文献３）などがある。
【０００３】
しかしながら、従来の歩行補助具は、階段や段差等を昇降しない時、すなわち、平坦部を歩行する時も、足載せ用のステップ台を石突き部に装着しながら、使用しなければならず、足を踏み出す位置とステップ台とが重なり、使用者が転倒してしまうリスクがある。例え、収納可能であったとしても、足を載せるステップ台という重量物が下端に接続された歩行補助具を、常に上げ下げしながら歩行しなければならないのは、高齢者に取って負荷が大きい。電動モータ等の器具が付いた歩行補助具であれば、更にその重量が増すことが想定される。
更に、従来の歩行補助具には、階段や段差の昇降を補助する機能しかなく、高齢者が腰掛けた状態から起立する際の補助機能など、付加機能は付いていない。
【先行技術文献】
【特許文献】
【０００４】
【特許文献１】特開平８−８９３２２号公報
【特許文献２】特開２００５−２９６０３４号公報
【特許文献３】実用新案登録第３１０４６３３号公報
【発明の概要】
【発明が解決しようとする課題】
【０００５】
本発明は、以上のような従来の歩行補助具の欠点に鑑み、平坦部を歩行する際、歩行補助具の下端に、使用者が躓くリスクがあるステップ台などがなく、階段や段差を昇降する際は、使用者の昇降を補助するとともに、使用者が座った状態から起立することを助ける機能も具備する段差昇降補助機能及び起立補助機能付き歩行補助具を提供することを目的としている。
【課題を解決するための手段】
【０００６】
上記目的を達成する本発明の歩行補助具は、握り部、第一棒状部、スライド式の固定部材、弾性部材、第二棒状部、及び石突きを有し、前記握り部が前記第一棒状部の一端部に固定され、前記石突きが前記第二棒状部の一端部に固定され、前記第一棒状部と前記第二棒状部の他端部が互いに同軸状に対向して配置され、
前記固定部材は前記第一棒状部と第二棒状部が同軸状の固定位置と該固定位置から屈曲可能位置に切り替え可能に前記第一棒状部と第二棒状部の外周部にスライド可能に嵌合されてなり、
かつ前記第一棒状部と第二棒状部の外周部を跨いで屈曲状態から直線状態に反力を付与する弾性部材を配置してなることを特徴とするものである。
【発明の効果】
【０００７】
請求項１に係る本発明の歩行補助具によれば、前記固定部材をスライドさせることにより、第一棒状部と第二棒状部が、一直線状の固定状態と第一棒状部と第二棒状部が継ぎ目から屈曲可能状態に自由に選択でき、且つ前記第一棒状部と第二棒状部の外周部を跨いで屈曲状態から直線状態に反力を付与する弾性部材を配置しているので、固定状態では通常の杖として使用でき、また、屈曲可能状態にすることによって、階段等を昇降時には上部より体重をかけることにより屈曲すると弾性部材による反作用により直線体に復帰するように力が働くので、階段の昇降を効果的に補助することができる。このように、本発明の歩行補助具によれば、従来の歩行補助具と相違して、ステップ台を設けることなく、段差昇降を補助することができるので、ステップ台が歩行の邪魔をする危険性がなく、且つ軽量・小型に構成できるので、容易に携帯利用できる歩行補助具を得ることができる。
【０００８】
また、請求項２に係る発明によれば、握り部が二又状の取っ手になっているので、２つの取っ手を両手で握ることで、両手と、接地面と接地した石突きとが３点を形成して、使用者が両手で重力方向に力を加えても、左右に力が逃げてしまうことなく、安定した体勢を保って、容易に起立することができ、起立を補助することができる。
さらに、請求項３に係る発明によれば、当該歩行補助具を通常歩行モード、昇降モード、起立モードの３形態で歩行を補助することができる。
さらに、請求項４に係る発明によれば、第一棒状部と第二棒状部がコイルスプリング内に嵌装配置されているので、第一棒状部と第二棒状部とを継ぎ目部から相対的に屈曲した場合、該コイルバネの反力により容易に直線状態への復元力が付与され、その復元力を歩行補助力として効果的に利用することができる。
さらにまた、請求項５の発明によれば、前記コイルバネの復元力に加えて、握り部と反対側に設けた伸縮性ゴムによる復元力も付加されるので、より効果的に階段等の傾斜面を昇るときの歩行を補助することができる。
さらに、また請求項６の発明によれば、締め付け具の突起部が前記スリット入り固定部材のスリットに嵌合して前記固定部材がスライド可能となっているので、安定して屈曲可能状態にすることができ、且つ突起部間に配置した補助用スプリングにより石突きを進行方向側に押し上げる指向性が向上し、昇降補助機能をより効果的に向上させることができる。
【図面の簡単な説明】
【０００９】
【図１】本発明の一実施形態に係る歩行補助具の分解組立図である。
【図２】前記実施形態に係る歩行補助具の通常歩行モードでの一部破断斜視概略図である。
【図３】同歩行補助具の昇降モードでの斜視概略図である。
【図４】同歩行補助具の起立モードでの斜視概略図である。
【図５】同歩行補助具の通常歩行モードでの使用状態を示す模式図である。
【図６】同歩行補助具の昇降モードでの使用開始状態を示す模式図である。
【図７】同歩行補助具の昇降モードでの階段の上り使用状態を示す模式図である。
【図８】同歩行補助具の起立モードでの使用状態を示す模式図であり、（ａ）は立ち上がり開始前、（ｂ）は立ち上がった状態をそれぞれ示している。
【図９】本発明の他の実施形態に係る歩行補助具の分解組立図である。
【図１０】（ａ）〜（ｄ）は、図９に示す歩行補助具の通常歩行モードから、昇降モードへの切り替え状態を示す斜視図である。
【発明を実施するための形態】
【００１０】
本発明に係る歩行補助具の好適な実施形態について説明する。
本発明の歩行補助具は、握り部、第一棒状部、スライド式の固定部材、弾性部材、第二棒状部、石突きを有し、前記握り部が前記第一棒状部の一端部に固定され、前記石突きが前記第二棒状部の一端部に固定されている。そして、前記第一棒状部と前記第二棒状部の他端部が互いに同軸状に対向して配置され、前記固定部材は前記第一棒状部と第二棒状部が同軸状の固定位置と該固定位置から屈曲可能位置に切り替え可能に前記第一棒状部と第二棒状部の外周部にスライド可能に嵌合されていると共に、前記第一棒状部と第二棒状部の外周部を跨いで屈曲状態から直線状態に復帰する反力を付与する弾性部材を配置してなることを特徴とする。
前記握り部は、三又ジョイントからなり、水平方向に延びる二又状の接続口に２つの取っ手を嵌合し、且つ取っ手と鉛直方向の接続口に第一棒状部の一端を嵌合して、握り部と第一棒状部が一体に固定している。
【００１１】
前記弾性部材としては、好適にはコイルスプリングが採用でき、該コイルスプリングに前記第一棒状部の他端部及び第二棒状部の他端部をそれぞれ反対側から嵌合して、第一棒状部と第二棒状部の他端部同士を対向配置する。
第一棒状部及び第二棒状部はそれぞれコイルスプリングにその途中が取付られているが、第一棒状部と第二棒状部は直接は接続されてなく、前記コイルスプリングを介してその他端部間で屈曲可能である。一方、コイルスプリングの外周部に管状の固定部材がスライド可能に嵌合しているので、該固定部材のスライド位置によって第一棒状部と第二棒状部が同軸状に固定、又は屈曲可能に選択することができる。それにより、本実施形態の走行補助具は、通常歩行モード、起立モード及び昇降モードに切り替え使用可能である。
【００１２】
通常歩行モードでは前記固定部材で第一棒状部と第二棒状部を直線状態に保持して、前記握り部を片手で把持し前記石突きを接地させ、起立モードでは、前記固定部材で第一棒状部と第二棒状部を直線状態に保持して、腰掛けた状態で両手で前記取っ手を把持し、両手と、地面に接地した石突きの３点を形成し、前記昇降モードでは、通常歩行モードから前記握り部と前記石突きを反転させ、かつ前記固定部材をスライドさせ、前記第一棒状部に対して第二棒状部が屈曲可能にし、前記石突きを把持し、前記取っ手を接地させることができる。
【００１３】
また、前記弾性部材としてより好適には前記コイルスプリングに加えて、伸縮性のゴム又はスプリングを前記取っ手側と反対の歩行方向前方側に、設けることによって、昇降モードのときに屈曲状態から鉛直状態への復元力が増し、階段等の上りをより効果的に補助することができる。
【００１４】
また、他の実施形態として、前記固定部材を握り部側端部から軸方向に沿って他端部を残して途中までスリットが形成されたスリット入り固定部材として構成し、前記第一棒状部に突起部を有する締め付け具を固定し、且つ前記第二棒状部に突起部を有するストッパ兼締め付け具を固定して、前記突起部間にスプリングを張設し、前記締め付け具の突起部が前記スリット入り固定部材のスリットに嵌合して前記固定部材がスライド可能に構成することができる。
さらに、他の実施形態として、前記実施形態では、前記第一棒状部及び第二棒状部の他端部同士は、直接接続することなくスプリングを介して屈曲可能となっているが、前記第一棒状部と第二棒状部の他端部同士を歩行方向前後にのみ屈曲可能にジョイントで接続して構成することも可能である。その場合は、第一棒状部及び第二棒状部の外周にコイルスプリングを配置しなくてもよく、弾性部材として取っ手と反対側に設ける伸縮性ゴムやその他のスプリングのみでもよい。
【実施例】
【００１５】
以下、本発明の実施例を図面に基づいて詳細に説明する。
実施例１
図１は、本発明の実施例係る歩行補助具の分解図である。本発明の歩行補助具は、握り部１、係止リング２、第一棒状部３、スライド式管状の固定部材４、コイルバネからなるスプリング５、ストッパ６、第二棒状部７、石突き８、帯状の伸縮性ゴム９からなる。握り部１には、２つの棒状の取っ手１１が接続されている。各取っ手の一端は三叉ジョイント１２の接続口１２−１、１２−２にそれぞれ接続され、もくねじで三叉ジョイントに固定されている。更に、三叉ジョイントの残りの一端の接続口１２−３は、第一棒状部３の一端と接続され、もくねじで第一棒状部３と固定されている。本実施例では、三又ジョイントの接続口１２−３の端面は、後述するように固定部材４の握り部側へのスライド時のストッパーを兼ねるが、必要に応じて第二棒状部材のストッパと同様に、固定部材の握り部側へのスライド端位置を規制できるように、別途ストッパを設けてもよい。
【００１６】
係止リング２は中空であり、管状の固定部材４の内周面に嵌合できる外径を有し、中央の穴に第一棒状部３と帯状の伸縮性ゴム９の一端とを嵌め込み、第一棒状部３の所定位置で締めこまれ、第一棒状部３と帯状の伸縮性ゴム９の一端とが固定されると共に、その下端面でスプリング５の一端部を係止する。スプリング５は、第一棒状部３の外側を覆うように嵌合し、その一端が係止リング２に突き当たるまで挿入される。このとき、第一棒状部３の他端、すなわち、握り部１が装着された一端と反対側の他端部は、スプリング５からはみ出さないように、スプリング５の位置は調整される。第一棒状部３の他端部は、スプリング５の長さ方向中央付近に位置するのが好ましい。スプリング５と第一棒状部３とは、所定間隔で打ち付けられた複数のまた釘によって固定される。
【００１７】
次に、スプリング５の長さ方向で、第一棒状部３とは反対側から、第二棒状部７がスプリング５に挿入される。第二棒状部７とスプリング５とは、所定間隔で打ち付けられた複数のまた釘によって固定される。このとき、第一棒状部３と第二棒状部７は、それぞれスプリング５と複数のまた釘で固定されているが、両者は単に接触しているだけであり、直接は固定されない。つまり、例えば第一棒状部３を固定して、第二棒状部７のスプリング５と固定されていない端部に力を加えると、スプリング５を介して屈曲する。このとき、スプリングの反作用として、第一棒状部３と第二棒状部７とが一直線になるように反作用力が発生する。
【００１８】
ストッパ６は、スプリング５と第二棒状部７とが接続されていない第二棒状部７の一端部から挿入され、第二棒状部７と帯状の伸縮性ゴム９とを外周側から締め付け固定する。ストッパ６は、帯状の伸縮性ゴム９に長さ方向の力が加わらない位置で第二棒状部の所定位置に固定される。帯状の伸縮性ゴム９は、使用者が取っ手を握った際、進行方向側に、歩行補助具の長さ方向に沿って係止リング２とストッパ６とで締め付け固定される。
【００１９】
石突き８は、球形で弾力があるゴム部材からなり、第二棒状部７の端部に適宜手段で接続固定される。石突き８は、本発明の歩行補助具が様々な角度で設置面に突き当てられても、設置面と石突き８との間に摩擦力が生じるように球形状になっているのが望ましい。
【００２０】
スライド式の固定部材４は、中空で筒状の硬質プラスチック管や金属管等の軽量剛性材からなり、スプリング５の外周と、隙間ができない程度の内径である。スライド式の固定部材４は、第一棒状部３、第二棒状部７、係止リング２、スプリング５、帯状の伸縮性ゴム９の外側から覆うように、三又ジョイントの接続口１２−３とストッパ６との間で、歩行補助具の長さ方向にスライド自在に嵌合される。ただし、ストッパに突き当たると、それ以上、スライドしないようになっている。なお、本実施例では、前述したように握り部の接続口１２−３で第一棒状部のストッパを兼用しているが、係止リング２に代えてストッパ６と同様なストッパを設けて、該ストッパに伸縮性ゴムの一端部を固定すると共に、固定部材のスライド位置を規制するようにしてもよい。
【００２１】
本実施例の歩行補助具１０は以上のように構成され、歩行補助具の握り部１を図２に示すように、重力方向上側にした場合、スライド式の固定部材４は、その端部がストッパ６に突き当たり、第一棒状部３と第二棒状部７との接触部分、スプリング５、帯状の伸縮性ゴム９をそれぞれ覆う位置に固定されるため、使用者が取っ手部を握って、握り部１に重力方向の力を加えても、スプリング５は屈曲できず、第一棒状部３と第二棒状部７とは一直線の状態を維持している（通常モード）。
【００２２】
一方で、図３に示すように、握り部が上方の位置から反転して石突き８を重力方向上側にした場合、スライド式の固定部材４を三又ジョイントの接続口１２−３に突き当たるまで下方にスライドさせると、第一棒状部３と第二棒状部７との接触部分、スプリング５、帯状の伸縮性ゴム９の固定は解除されるため、図７に示すように、使用者が石突き８を握り、重力方向に力を加えると、第一棒状部３に対して、第二棒状部７が屈曲し、スプリング５の反作用力で、使用者に重力方向とは反対方向の力が加わる。このとき、使用者は石突き８を手前に押し下げる動作を行うが、握り部１の２つの取っ手１１，１１が使用者の手前側２点で接地していること、帯状の伸縮性ゴム９が歩行補助具の進行方向側に接続されていることから、進行方向側に石突き８を押し上げる指向性があり、歩行補助具が左右にぶれることがなく、安定している。２つの取っ手が接地することから、接地面に対して３点以上で支持することになり、更に、昇降時の歩行補助具の位置が安定する（昇降モード、図６、７参照）。
【００２３】
図２は、使用者が平坦部を歩行する際に使用する状態、すなわち、通常モードを表している。この通常モードにおいて、使用者は、図５に示すように、握り部１にある取っ手１１、１１のいずれかを片手で握り、石突き８を接地面に接地させて、自らの体を支える。このとき、スライド式の固定部材４は、その端部がストッパ６に突き当たり、第一棒状部３と第二棒状部７との接触部分、スプリング５、帯状の伸縮性ゴム９をそれぞれ覆う位置で固定されているため、使用者が取っ手１１を握って、握り部１に重力方向の力を加えても、スプリングは屈曲せず、歩行補助具は一直線の状態で使用者の体を支えている。図５は、使用者が本歩行補助具を使って、平坦部を歩行する際のイメージ図である。
【００２４】
図３は、使用者が階段や段差を昇降する際に使用する状態、すなわち、昇降モードを表している。通常モードから、握り部１と石突き８とを上下反転させ、石突き８を重力方向上側にする。次に、スライド式の固定部材４を三又ジョイントの接続口１２−３端に突き当たるまでスライドさせて、第一棒状部３と第二棒状部７との接触部分、スプリング５、帯状の伸縮性ゴム９の固定を解除する。使用者は、図６、７のイメージ図に示すように、次の段に握り部１を載せた後、石突き８に体重をかけて、手前下側に押し下げる。スプリング５並びに帯状の伸縮性ゴム９の反作用力によって、石突き８が進行方向に向かって押し上げられ、使用者の上昇力を助ける。使用者はこの繰り返しにより、階段を上ったり、段差を乗り越えたりすることができる。
【００２５】
図８は、使用者が椅子やベンチ等に腰掛けた状態から起立する状態、すなわち、起立モードを表している。まず、利用者は、通常モードで本歩行補助具を持つが、平坦部の歩行時と異なる点は、両手で、握り部１の取っ手１１、１１をそれぞれ握る点である。２つの取っ手１１，１１を両手で握ることで、両手と、接地面と接地した石突き８とが３点を形成するため、使用者が両手で重力方向に力を加えても、左右に力が逃げてしまうことなく、安定した体勢を保てる。また、石突き８は、球形状であることから、歩行補助具をどのような角度で接地面に接地しても、接地面と石突き８とは摩擦力を発生させることができ、使用者が取っ手１１，１１に力を加えても、石突き８が前方に滑るリスクが少ない。利用者は、両手で２つの取っ手を握り、腕の力で補助しながら、（ａ）の状態から（ｂ）の状態に起立することができる。起立後は、取っ手のいずれかを片手で握ることで、通常モードに移行し、歩行補助具を使った歩行ができる。
【００２６】
実施例２
図９は、本発明の歩行補助具の実施例２を表す。本実施例の歩行補助具２０は、握り部２１、係止リング２２、第一棒状部２３、スライド式のスリット入り固定部材２４、スプリング２５、締め付け具２６、ストッパ兼締め付け具２７、第二棒状部２８、石突き２９、昇降補助用スプリング３０からなる。
【００２７】
握り部２１、第一棒状部２３、スプリング２５、第二棒状部２８、石突き２９は、実施例１と同じである。締め付け具２６は、端部に貫通穴２６−１を有する。第一棒状部２３に締め付け固定し、その管通穴に昇降補助用スプリング３０の一端を引っ掛けている。昇降補助用スプリング３０の他端は、第二棒状部２８に締め付け固定されたストッパ兼締め付け具２７の貫通穴２７−１に引っ掛けられている。このストッパ兼締め付け具は、昇降補助用スプリング３０に長さ方向に力が加わらない位置に調整される。本実施例で昇降補助用スプリング３０は、スプリング２５と同様にコイルバネを使用しているが、コイルバネに限らず弾性ゴム等の弾性材を採用することも可能である。
【００２８】
スライド式のスリット入り固定部材２４は、中空、筒状で、長さ方向の側面に全長にスリット２４−１がある硬質プラスチック管又はその他の金属管からなる。スプリング２５の外周と、隙間ができない程度の内径である。スライド式のスリット入り固定部材２４は、第一棒状部２３、第二棒状部２８、スプリング２５の外側から覆うように、締め付け具２６とストッパ兼締め付け具２７との間で、歩行補助具の長さ方向にスライド自在に嵌合される。このとき、締め付け具２６の貫通穴２６−１がある突起部２６−２が、スライド式のスリット入り固定部材におけるスリット２４−１に嵌合するように、スリットの位置を調整する。一方で、ストッパ兼締め付け具２７の貫通穴２７−１がある突起部２７−２はスリットに嵌合しない。
【００２９】
そのため、スライド式のスリット入り固定部材２４の端部が、ストッパ兼締め付け具２７に突き当たると、第一棒状部２３と第二棒状部２８との接触部分、スプリング２５をそれぞれ覆う位置に固定されるため、使用者が取っ手１１を握って、握り部２０に重力方向の力を加えても、スプリング２５は屈曲できず、第一棒状部２３、第二棒状部２８とは一直線の状態を維持している。一方で、石突き２９を重力方向上側にした場合、スライド式のスリット入り固定部材２４を、握り部側のストッパに突き当たるまでスライドさせると、第一棒状部２３と第二棒状部２８との接触部分、スプリング２５の固定は解除されるため、使用者が石突き２９を握り、重力方向に力を加えると、第二棒状部２８に対して、第一棒状部２３が屈曲し、スプリング２５と、昇降補助用スプリング３０の反作用力で、使用者に重力方向とは反対方向の力が加わる。このとき、使用者は石突き２９を手前に押し下げる動作を行うが、握り部の２つの取っ手が使用者の手前側２点で接地していること、昇降補助用スプリング３０が進行方向側に接続されていることから、進行方向側に石突き２９を押し上げる指向性があり、歩行補助具が左右にぶれることがなく、安定している。２つの取っ手が接地することから、接地面に対して３点以上で支持することになり、更に、昇降時の歩行補助具の位置が安定する。
図１０は、実施例２の歩行補助具における通常モードから昇降モードへの切り替えを示す。
【産業上の利用可能性】
【００３０】
本発明の歩行補助具は、通常歩行モード、起立モード及び昇降モードに切り替え使用可能であり、特別なステップ台を有することなくコンパクトで、軽量に構成することができ、通常の杖としても利用可能性が高い。
【符号の説明】
【００３１】
１、２１    握り部
２、２２    係止リング
３、２３    第一棒状部
４、２４    固定部材
５、２５    スプリング
６          ストッパ
７、２８    第二棒状部
８、２９    石突き
９          伸縮ゴム
１０、２０    歩行補助具
１１          取っ手
１２          三又ジョイント
１２−１〜３  接続口
２４−１      スリット
２６          締め付け具
２６−１      貫通穴
２６−２      突起部
２７          ストッパ兼締め付け具
２７−１      貫通穴
２７−２      突起部
３０          昇降補助用スプリング
【要約】
【課題】通常歩行補助機能に加え、段差昇降補助機能及び起立補助機能付き歩行補助具を提供する。
【解決手段】二又状の取っ手１１を有する握り部１が第一棒状部３の一端部に、石突き８が第二棒状部７の一端部にそれぞれ固定され、第一棒状部３と第二棒状部７が同軸状の固定位置と該固定位置から屈曲可能位置に切り替え可能に外周部に固定部材４がスライド可能に嵌装され、かつ第一棒状部と第二棒状部の外周部を跨いで屈曲状態から直線状態に反力を付与する弾性部材が配置され、通常歩行モード、起立モード及び昇降モードに切り替え使用可能である。
【選択図】図２【図１】
0005690013.tif 000002
【図２】
0005690013.tif 000003
【図３】
0005690013.tif 000004
【図４】
0005690013.tif 000005
【図５】
0005690013.tif 000006
【図６】
0005690013.tif 000007
【図７】
0005690013.tif 000008
【図８】
0005690013.tif 000009
【図９】
0005690013.tif 000010
【図１０】
0005690013.tif 000011